(57)【要約】【課題】従来の記録計は、前扉側に照明手段を配置し前面側からスケール板および記録紙を照らす構成となっていた。この構成の場合、照明手段へ供給する電源線の配線部分が頻繁に可動することになり、配線部分の劣化し断線する事態も発生していた。【解決手段】本発明では、記録内容が記録される記録紙と、記録紙上方に配置され記録内容の指標となるスケール板と、記録内容を記録紙に記録する記録手段と、記録エリアから記録紙送り方向に位置し記録エリアにて記録された記録内容を確認可能な記録内容確認領域と、スケール板の略直下に位置し記録手段が記録紙に記録を行う記録エリアと、スケール板上方に配置され記録エリアおよびスケール板に光を照らす照明手段と、を有する記録計本体と、計本体前面に開閉可能に取り付けられた前扉と、前扉の本体側に設けられ光を透過する材料から構成され照明手段の光の一部を反射する反射領域と、を有する記録計を提供する。【選択図】図４
2011209201.tif 000002
【特許請求の範囲】
【請求項１】
入力データなどの記録内容が記録される記録紙と、
前記記録紙上方に配置され、記録内容の指標となるスケール板と、
記録内容を前記記録紙に記録する記録手段と、
前記スケール板の略直下に位置し、記録手段が記録紙に記録を行う記録エリアと、
前記スケール板上方に配置され、前記記録エリアおよび前記スケール板に光を照らす照明手段と、
を有する記録計本体と、
前記計本体前面に開閉可能に取り付けられた前扉と、
前記前扉の本体側に設けられ、光を透過する材料から構成され、前記照明手段の光の一部を反射する反射領域と、
を有する記録計。
【請求項２】
前記反射領域は、偏光材料から構成される請求項１に記載の記録計。
【請求項３】
前記反射領域の少なくとも一部は、光を透過しない反射体から構成される請求項１または２に記載の記録計。
【請求項４】
前記照明手段はLEDからなる請求項１から３のいずれか一に記載の記録計。
【発明の詳細な説明】
【技術分野】
【０００１】
本件発明は、内部に照明手段を有する記録計に関し、一つの照明手段でスケール板と記録紙の記録エリアの両方を同時に照らすことが可能な記録計の照明構造に関する。
【背景技術】
【０００２】
一般的に記録計は、記録紙にペンやプロッタ等で記録する記録計は、使用場所のパネルに設置されることを前提にしており、防塵・防滴や外部からの衝撃保護のためにケースに収納され、前面に設置された前扉を開閉することで、ケースに収納された記録計本体の操作や記録紙の交換などの保守作業を行う。この前扉は、閉めた状態でも記録紙の記録内容や記録計の状態を確認可能にするため、光透過性を有する材料、一般的にはガラスやポリカーボネイトなどで構成されている。
【０００３】
記録計は、大きく分けると、記録される情報をグラフィックパネルに表示し、記録紙には記録せずにフラッシュメモリのような記録媒体に電子的に記録する「ペーパーレス記録計」、記録される情報をLEDやLCD、蛍光表示管等の表示パネルに表示し、記録紙にペンやプロッタ、ワイヤードットプリンタ等で記録させる「ハイブリット式記録計」、記録される情報をスケール板と指針によって表示し、記録紙にペンやプロッタ等で記録する「アナログ式記録計」がある。
【０００４】
このうち「ペーパーレス記録計」や「ハイブリット式記録計」の場合、記録される内容は液晶ディスプレイやLED、蛍光表示管などによって表示されるため、暗所であっても明るく視認することが可能である。一方、アナログ式記録計の場合、スケール板に特段の照明手段を設けなければ暗所で視認することができない。また、記録された内容を確認するため、スケール板以外にも情報が記録された記録紙を視認するための照明が必要である。
【０００５】
このようなアナログ記録計の場合、従来は前扉側に照明手段を配置し、記録計の前面側から記録紙とスケール板を照らす構成としている。また、特許文献１には、スケール板を導光板で構成することで、スケール板と記録紙を照らす構成が示されている。
【先行技術文献】
【特許文献】
【０００６】
【特許文献１】特開２００８−１０１９２０号公報
【発明の概要】
【発明が解決しようとする課題】
【０００７】
しかし、前扉側に照明手段を配置し、前面側からスケール板および記録紙を照らす構成とした場合、前扉が開閉されるため、照明手段へ供給する電源線の配線部分が頻繁に可動することになる。このため、前扉の開閉は使用条件により開閉頻度が高い場合もあり、前扉の開閉も乱雑に行われるなどの可能性があることから、配線部分の劣化が発生することが想定され、最悪の場合断線する事態も発生する。
【０００８】
このため、可動部分に対しては、可動に対する配線案内や、配線自体の折れ曲がり防止、摺れ等に対する保護などが必要となるため、屈曲性能のよい配線材料を使用し、外郭保護を付けるなどの処理が必要となり、製造時の工程が増え、コストアップの要因となる。また、想定しない使用条件下で使用されることで断線の可能性も残されている。
【０００９】
また、特許文献１のように、スケール板に導光板を使用した記録計の構成では、導光板を介して指針を視認する必要があるため、指針の読み取りがしにくいという問題がある。
【課題を解決するための手段】
【００１０】
そこで、本件発明では、上記課題に鑑み、以下の記録計を提供する。すなわち第一の発明としては、記録内容が記録される記録紙と、前記記録紙上方に配置され、記録内容の指標となるスケール板と、記録内容を前記記録紙に記録する記録手段と、前記記録エリアから記録紙送り方向に位置し、前記記録エリアにて記録された記録内容を確認可能な記録内容確認領域と、前記スケール板の略直下に位置し、記録手段が記録紙に記録を行う記録エリアと、前記スケール板上方に配置され、前記記録エリアおよび前記スケール板に光を照らす照明手段と、を有する記録計本体と、前記計本体前面に開閉可能に取り付けられた前扉と、前記前扉の本体側に設けられ、光を透過する材料から構成され、前記照明手段の光の一部を反射する反射領域と、を有する記録計を提供する。
【００１１】
第二の発明としては、前記反射領域は、偏光材料から構成される第一の発明に記載の記録計を提供する。
【００１２】
第三の発明としては、前記反射領域の少なくとも一部は、光を透過しない反射体から構成される第一の発明または第二の発明に記載の記録計を提供する。
【００１３】
第四の発明としては、前記照明手段はLEDからなる第一の発明から第三の発明のいずれか一に記載の記録計を提供する。
【発明の効果】
【００１４】
本件発明の記録計のように、照明手段から照射される光を前扉に設けられた反射領域に反射させることで、スケール板と記録領域の両方を明るく照らし、記録計を暗所に設置した場合でも、視認することが可能となる。
【００１５】
また、さらに反射領域の少なくとも一部に光を透過しない反射体を設けることで、スケール板をより明るく照らすことが可能となる。これにより、記録計を暗所に設置した場合でも、スケール板をより良好な条件で視認することが可能となる。
【図面の簡単な説明】
【００１６】
【図１】実施形態１の記録計を説明するための斜視概念図
【図２】実施形態１の記録計を説明するための概念図
【図３】実施形態１の記録計を説明するための概念図
【図４】実施形態２の記録計を説明するための概念図
【発明を実施するための形態】
【００１７】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１８】
実施形態１は、主に請求項１、請求項２、請求項４などに関する。実施形態２は主に請求項３などに関する。
＜＜実施形態１＞＞
＜実施形態１  概要＞
【００１９】
本実施形態は、スケール板と記録紙に記録を行う記録エリアに照明手段からの光を照射するために、直接光の他に、前面の前扉のガラスに照明手段からの光を反射させることを特徴とした記録計である。このように、前面のガラスに照明手段からの光を反射させることで、スケール板と記録紙の両方を照らすことが可能となる。
＜実施形態１  構成＞
【００２０】
図１および図２に本実施形態の記録計の概念図を示した。図１は本実施形態の記録計の斜視概念図で、図２は側面図である。図１、図２ともに一部の構成を省略して記載しており、記録計の筐体を透視するように記載されている。
本実施形態の記録計は、記録内容が記録される記録紙（０１０１、０２０１）と、前記記録紙上方に配置され、記録内容の指標となるスケール板（０１０２、０２０２）と、記録内容を前記記録紙に記録する記録手段（０１０３、０２０３）と、前記スケール板の略直下に位置し、記録手段が記録紙に記録を行う記録エリア（０１０４、０２０４）と、前記スケール板上方に配置され、前記記録エリアおよび前記スケール板に光を照らす照明手段（０１０５、０２０５）と、を有する記録計本体（０１０６、０２０６）と、前記計本体前面に開閉可能に取り付けられた前扉（０１０７、０２０７）と、前記前扉の本体側に設けられ、前記照明手段の光を反射する反射領域（０１０８、０２０８）と、を有する。
【００２１】
「記録紙」は、記録計が記録を行う情報である記録内容を記録する媒体である。本実施形態で用いられる記録紙は、特に限定されず、一般的な記録紙であればよい。ここで、記録内容とは、例えば温度計測機器などの測定機器から記録計に入力されるデータなどであって、記録紙に記録を行うデータである。
【００２２】
「スケール板」は、記録計が記録を行う入力データの指標となる。具体的には、スケール板上に設けられた指針が入力されるデータの値に応じて動くことで、入力データの指標となる。
【００２３】
「記録手段」は、スケール板に指針によって示された値やその他の様々な情報を、記録紙に記録する。具体的には、記録手段はアナログ印字・描画を行うペンやワイヤードットプリンタ等の他、デジタル印字・描画を行うプロッタペンなどの記録紙に文字や記号などの印字、グラフや図形の描画を行うための手段である。
【００２４】
「記録エリア」は、記録手段が実際に記録紙に対して記録を行う領域である。記録エリア周辺を、後述する照明手段によって明るくすることで、記録直後の記録紙の状態や、記録内容を確認することが可能となる。
【００２５】
「照明手段」は、記録計のスケール板や記録エリアなどを照らすための照明である。具体的な照明手段としては、例えばLEDなどや、蛍光管、電球などであって、特に限定されるものではない。照明手段としてLEDを用いた場合、LEDは光指向角が狭いため、スケール板を均一に照らすことが困難である。しかし、本実施形態の記録計のような構成とすることで、スケール板を比較的均一に照らすことが可能となる。
【００２６】
「記録計本体」は、記録紙やスケール板、記録手段、照明手段などを有しており、外側をケースとなる筺体で覆われている。この筺体は、前面が開口しており、使用者が内部の記録計本体を操作したり、記録紙の交換が可能なように構成されている。なお図１および図２では筺体を透視し、記録計本体の内部が見えるように記載している。
【００２７】
「前扉」は、前記記録計本体の筺体の開口部分に開閉可能に取り付けられている。前扉は一部が光透過性の材料で構成され、外側から前扉を介して記録計本体を視認することが可能になっている。
【００２８】
「反射領域」は、前記前扉の記録計本体側に設けられ、記録計本体側の照明手段から照射された光の一部が、記録計本体側へ反射されるように構成された領域である。この反射領域にて反射された光が、記録計本体側を照らすことで、スケール板などが十分に視認可能な状態に照らされる。
【００２９】
ここで、反射領域における照明手段からの光の反射について説明する。従来の記録計では、照明手段を前扉に設けていたため、照明手段から発せられる光は、スケール板の前面方向から照射されていた。このため、スケール板には十分に光が照射されていた。しかし、本実施形態のように、照射手段を前扉から記録計本体側に設置した場合、記録エリアを明るく照らす状態にとすると、スケール板前面方向から光を照射することが困難となり、スケール板に十分な光が当たらずに暗い状態となってしまう。
【００３０】
図３に記録計を側面方向から見たときの透視概念図を示した。図３に示した概念図は、説明のため必要な構成を中心に記載している。従って、一部の構成を省略して記載している。照明手段（０３０１）から発せられる光（図中破線矢印）は、図３の（ａ）のように照射される。このうち一部は、記録エリア（０３０２）やスケール板（０３０３）等を照らし、他の一部は、前扉（０３０４）のガラスなど（０３０５）を透過して記録計の外へ照射されてしまう。この前扉を透過して記録計の外部へ照射される光は、スケール板や記録領域を照らすことが無い無駄な光となっている。
【００３１】
本実施形態では、図３の（ｂ）のように、この前扉を透過して記録計の外部へ照射される光を、前扉の反射領域（０３０６）にて記録計本体方向へ一部反射させ、スケール板や記録エリアに照射するように構成している。このようにすることで、スケール板も視認可能に明るく照らすことが可能となる。
【００３２】
前扉にて照明手段からの光を反射させる方法としては、前扉を構成している透明材料単体であっても、材料の表面で反射させることができる。さらに、透明材料の表面に、光が反射するようなコーティングやフィルムを配置すると効果的に反射させることができる。例えば、前扉に透明な偏光フィルムを配置し、透過しない光が反射するように構成してもよい。
＜実施形態１  効果＞
【００３３】
本実施形態の記録計のように、照明手段から照射される光を前扉に設けられた反射領域に反射させることで、スケール板と記録領域の両方を明るく照らし、記録計を暗所に設置した場合でも、視認することが可能となる。
＜＜実施形態２＞＞
＜実施形態２  概要＞
【００３４】
本実施形態は、の記録計は実施形態１に示した記録計にさらに、反射領域の一部に光を透過しない反射体を配置したことを特徴とする記録計である。このように、反射領域の一部に光を透過しない反射体を配置することで、よりスケール板を明るく照らすことが可能となる。
＜実施形態２  構成＞
【００３５】
図４に本実施形態の記録計を説明するための概念図を示した。図４は、説明のため、記録計を側面から見た時の概念図であり、説明のため一部の構成が省略されている。
【００３６】
本実施形態の記録計は、反射領域（０４０１）の一部に光を透過しない反射体（０４０２）を配置している。例えば図４において、スケール板（０４０３）より上方に位置する反射領域に、反射体を配置した構成である。このスケール板よりも上方の位置は、記録計を使用する際に必要な設定のためのスイッチや表示などが存在しないため、記録計使用時に外部から視認する必要の無い領域である。このスケール板より上方の反射領域に、反射体を配置することで、図４に示したように、照明手段（０４０４）から発せられた光が、反射領域に配置された反射体によって反射し、スケール板をより明るく照らすことが可能となる。前述した反射領域の反射では、光透過性を有する材料から構成されているため、一部の光が反射しその他の光は透過してしまう。しかし、スケール板より上方の反射領域に配置する反射体は、光が透過しないため、実施形態１で説明した反射領域よりも反射される光の量が多くなるためスケール板を照らす光が多くなる。従って、スケール板をより明るく照らすことが可能となる。
【００３７】
具体的な反射体としては、金属光沢や鏡面状の表面を持つ材料を前扉に貼りつけたりしてもよい。この他にも、表面が光を反射する性能を有する材料であれば、特に限定されるものではない。
【００３８】
また、反射体の表面は、光が乱反射してスケール板が均一に照らされるような構造となっていたり、より広い領域を照らすように凸面になっていたり、逆に特定の箇所を照らすように凹面になっていてもよい。
＜実施形態２  効果＞
【００３９】
本実施形態の記録計のように、反射領域の少なくとも一部に光を透過しない反射体を設けることで、スケール板をより明るく照らすことが可能となる。これにより、記録計を暗所に設置した場合でも、スケール板をより良好な条件で視認することが可能となる。
【符号の説明】
【００４０】
０１０１、０２０１  記録紙
０１０２、０２０２  スケール板
０１０３、０２０３  記録手段
０１０４、０２０４  記録エリア
０１０５、０２０５  照明手段
０１０６、０２０６  記録計本体
０１０７、０２０７  前扉
０１０８、０２０８  反射領域
０３０１  照明手段
０３０２  記録エリア
０３０３  スケール板
０３０４  前扉
０３０５  ガラスなど
０３０６  反射領域
０４０１  反射領域
０４０２  反射体
０４０３  スケール板
０４０４  照明手段
【図１】
2011209201.tif 000003
【図２】
2011209201.tif 000004
【図３】
2011209201.tif 000005
【図４】
2011209201.tif 000006